(57)【要約】【課題】既設の施設に対する影響を最小限に抑えてライフラインの代替手段を導入することができるライフラインタワーとする。【解決手段】工作物となる鉄骨７の骨状構造物にコージェネレーション用のガスエンジン１１を設置し、ガスエンジン１１の上部の骨状構造物に発電機器の補機及びコージェネレーション用補機である補機ユニット１６を設置し、骨状構造物にガスエンジン１１の駆動用の燃料を収容するＬＰＧタンク１７を設置すると共にガスエンジン１１の冷却水を収容する地下貯水槽９を設け、既設の病院施設に対する影響を最小限に抑えてコージェネレーションシステムを利用したライフラインの代替手段を導入することができるライフラインタワーとする。【選択図】        図２
2005029963.tif 000002
【特許請求の範囲】
【請求項１】
工作物となる骨状構造物に発電機器を設置し、発電機器の上部の骨状構造物に発電機器の補機を設置したことを特徴とするライフラインタワー。
【請求項２】
工作物となる骨状構造物にコージェネレーション用の発電機器を設置し、発電機器の上部の骨状構造物に発電機器の補機及びコージェネレーション用補機を設置する一方、骨状構造物に発電機器の駆動用の燃料を収容する燃料収容部材を設置すると共に発電機器の冷却水を収容するタンク部材を設けたことを特徴とするライフラインタワー。
【請求項３】
請求項２に記載のライフラインタワーにおいて、
発電機器には都市ガス配管及び燃料収容部材からの配管が接続され、
発電機器の補機にはタンク部材からの水の配管が接続されると共に、
発電機器からは所定の施設への電力配線が接続され、
コージェネレーション補機には所定の施設との間で温水を循環させる温水配管が接続され、
通常時には都市ガス配管からの都市ガスが発電機器に供給されると共に上水道配管からの水がタンク部材を介して発電機器の補機に供給され、コージェネレーション補機からの温水が温水配管により所定の施設に送られると共に発電機器からの電力が電力配線により所定の施設に送られる一方、
非常時には都市ガス配管からの都市ガス及び上水道配管からの水が遮断されて燃料収容部材の燃料が配管から発電機器に供給されると共に、タンク部材に蓄えられた水が発電機器の補機に供給され、コージェネレーション補機からの温水が温水配管により所定の施設に送られると共に発電機器からの電力が電力配線により所定の施設に送られる
ことを特徴とするライフラインタワー。
【請求項４】
請求項３に記載のライフラインタワーにおいて、
非常時に発電機器の補機に供給される水は地下貯水槽に蓄えられていることを特徴とするライフラインタワー。
【請求項５】
請求項３に記載のライフラインタワーにおいて、
コージェネレーション補機に循環される水は所定の施設に蓄えられていることを特徴とするライフラインタワー。
【請求項６】
請求項３に記載のライフラインタワーにおいて、
燃料収容部材は地下に設置されていることを特徴とするライフラインタワー。
【請求項７】
請求項３乃至請求項６のいずれか一項に記載のライフラインタワーにおいて、
コージェネレーション用の発電機器は、内燃機関及び内燃機関の駆動により発電を行う発電機であり、
コージェネレーション補機はガスエンジンの排気と冷却水の熱を回収して温水とする熱交換手段である
ことを特徴とするライフラインタワー。
【請求項８】
請求項３乃至請求項６のいずれか一項に記載のライフラインタワーにおいて、
コージェネレーション用の発電機器は、マイクロガスタービン及びマイクロガスタービンの駆動により発電を行う発電機であり、
コージェネレーション補機はマイクロガスタービンの排気と冷却水の熱を回収して温水とする熱交換手段である
ことを特徴とするライフラインタワー。
【請求項９】
請求項３乃至請求項６のいずれか一項に記載のライフラインタワーにおいて、
コージェネレーション用の発電機器は、燃料電池であり、
コージェネレーション用補機は燃料電池の作動排気と冷却水の熱を回収して温水とする熱交換手段である
ことを特徴とするライフラインタワー。
【請求項１０】
床面及び天井面を備えない鉄骨構造物にコージェネレーション用のガスエンジン及び発電機が設置され、
ガスエンジン及び発電機の上部の鉄骨構造物にコージェネレーション用の熱交換器及びガスエンジンの補機が設置される一方、
鉄骨構造物にガスエンジンの駆動用の燃料となる液化石油ガス（ＬＰＧ）を収容するＬＰＧタンクが設置される共に、補機に送られてガスエンジンの冷却を行う冷却水が収容される地下貯水槽が設けられ、
都市ガス配管及びＬＰＧタンクからの配管がガスエンジンに接続され、
上水道配管からの配管が地下貯水槽に接続され、
病院施設への電力配線が発電機に接続され、
病院施設との間を循環する温水配管がコージェネレーション用の熱交換器に接続されて構成され、
通常時には都市ガス配管からの都市ガスがガスエンジンに供給されると共に上水道配管からの水が地下貯水槽を介してガスエンジンの補機に供給され、熱交換器からの温水が温水配管により病院施設と熱交換器との間で温水が循環されると共に発電機からの電力が電力配線により病院施設に送られる一方、
非常時には都市ガス配管の都市ガス及び上水道配管の水が遮断されてＬＰＧタンクからの燃料が配管からガスエンジンに供給されると共に地下貯水槽からの水がガスエンジンの補機に供給され、温水配管により病院施設と熱交換器との間で温水が循環されると共に発電機からの電力が電力配線により病院施設に送られる
ことを特徴とするライフラインタワー。
【発明の詳細な説明】
【０００１】
【発明の属する技術分野】
本発明は、公共施設等、例えば、病院施設に緊急時等にエネルギーを供給するための設備（ライフラインタワー）に関し、大掛かりな設備とすることなく災害時等に各種エネルギー（ライフライン）が確保できるようにしたものである。
【０００２】
【従来の技術】
地震等の災害発生時に、エネルギーや飲料水等の確保を行う技術が従来から種々提案されている。例えば、特許文献１には、電源装置（太陽電池、バッテリ等）を備えた家屋の技術が開示されている。また、特許文献２には、予備の燃料と発電設備とを備え、発電した電力により予め貯留しておいた水を浄化・殺菌して飲料水としては確保する技術が開示されている。
【０００３】
【特許文献１】
特開平１１−７１９１９号公報
【特許文献２】
特開２０００−２５９６１３号公報
【０００４】
一方、資源を有効に利用したり、発電時の熱エネルギーを給湯等の熱需要に利用する技術（コージェネレーション）が従来から種々提案されている。例えば、特許文献３には、貯水タンク及び燃料電池を備えた資源リサイクル型の住宅の技術が開示されている。また、特許文献４には、地域内にコージェネレーション発電設備を設け、地域全体で共同して使用する電力、温水等のエネルギーを供給するシステムの技術が開示されている。
【０００５】
【特許文献３】
特開２０００−１７８５４号公報
【特許文献４】
特開２００３−２８４４９号公報
【０００６】
大規模な災害発生時に、例えば、拠点となる公共施設や病院では、ライフラインが断絶しても公共施設や病院としての機能を一定の期間保持する必要がある。病院の場合、大規模災害が発生すると最初の数日間に患者が集中する一方で、ライフラインの断絶により電力や水等を自力で確保する必要がある。このため、病院ではライフラインの代替手段の設備を備える必要があった。
【０００７】
ライフラインの代替手段としては、従来技術で種々提案されているエネルギーや飲料水等の確保を行う技術や、発電時の熱エネルギーを給湯等の熱需要に利用する技術（コージェネレーション）を適用することが考えられる。
【０００８】
【発明が解決しようとする課題】
病院へのライフラインの代替手段の導入は、病院を新築する場合には設計段階でライフラインを考慮するため問題はないが、既設の病院にライフラインの代替手段を導入するためには様々な問題が生じてしまう。
【０００９】
つまり、病院は２４時間、３６５日機能する必要があるために、建屋内の工事は困難であった。また、敷地内にコージェネレーション発電設備や予備燃料設備を設けたり、予備の水等を貯留する設備を設けた場合、ライフラインの代替手段の部分が建屋としての面積に含まれ、敷地全体に対して病院としての設備のための面積に影響を及ぼしてしまう虞があった。
【００１０】
病院に限らず、役所や警察署、水道局等の公共施設にあっても、災害発生時に備えてライフラインの代替手段を導入する必要があるが、病院に導入する場合と同じように、工事が困難であったり公共施設の設備のための面積に影響を及ぼす虞があった。
【００１１】
本発明は上記状況に鑑みてなされたもので、既設の施設に対する影響を最小限に抑えてライフラインの代替手段を導入することができるライフラインタワーを提供することを目的とする。
尚、ライフラインタワーとは、緊急時にエネルギーの供給を行う施設のことである。
【００１２】
【課題を解決するための手段】
上記目的を達成するための請求項１に係る本発明のライフラインタワーは、
工作物となる骨状構造物に発電機器を設置し、発電機器の上部の骨状構造物に発電機器の補機を設置したことを特徴とする。
【００１３】
上記目的を達成するための請求項２に係る本発明のライフラインタワーは、
工作物となる骨状構造物にコージェネレーション用の発電機器を設置し、発電機器の上部の骨状構造物に発電機器の補機及びコージェネレーション用補機を設置する一方、骨状構造物に発電機器の駆動用の燃料を収容する燃料収容部材を設置すると共に発電機器の冷却水を収容するタンク部材を設けたことを特徴とする。
【００１４】
そして、請求項３に係る本発明のライフラインタワーは、
請求項２に記載のライフラインタワーにおいて、
発電機器には都市ガス配管及び燃料収容部材からの配管が接続され、
発電機器の補機にはタンク部材からの水の配管が接続されると共に、
発電機器からは所定の施設への電力配線が接続され、
コージェネレーション補機には所定の施設との間で温水を循環させる温水配管が接続され、
通常時には都市ガス配管からの都市ガスが発電機器に供給されると共に上水道配管からの水がタンク部材を介して発電機器の補機に供給され、コージェネレーション補機からの温水が温水配管により所定の施設に送られると共に発電機器からの電力が電力配線により所定の施設に送られる一方、
非常時には都市ガス配管からの都市ガス及び上水道配管からの水が遮断されて燃料収容部材の燃料が配管から発電機器に供給されると共に、タンク部材に蓄えられた水が発電機器の補機に供給され、コージェネレーション補機からの温水が温水配管により所定の施設に送られると共に発電機器からの電力が電力配線により所定の施設に送られる
ことを特徴とする。
【００１５】
また、請求項４に係る本発明のライフラインタワーは、
請求項３に記載のライフラインタワーにおいて、
非常時に発電機器の補機に供給される水は地下貯水槽に蓄えられていることを特徴とする。
【００１６】
また、請求項５に係る本発明のライフラインタワーは、
請求項３に記載のライフラインタワーにおいて、
コージェネレーション補機に循環される水は所定の施設に蓄えられていることを特徴とする。
【００１７】
また、請求項６に係る本発明のライフラインタワーは、
請求項３に記載のライフラインタワーにおいて、
燃料収容部材は地下に設置されていることを特徴とする。
【００１８】
また、請求項７に係る本発明のライフラインタワーは、
請求項３乃至請求項６のいずれか一項に記載のライフラインタワーにおいて、
コージェネレーション用の発電機器は、内燃機関及び内燃機関の駆動により発電を行う発電機であり、
コージェネレーション補機はガスエンジンの排気と冷却水の熱を回収して温水とする熱交換手段である
ことを特徴とする。
【００１９】
また、請求項８に係る本発明のライフラインタワーは、
請求項３乃至請求項６のいずれか一項に記載のライフラインタワーにおいて、
コージェネレーション用の発電機器は、マイクロガスタービン及びマイクロガスタービンの駆動により発電を行う発電機であり、
コージェネレーション補機はマイクロガスタービンの排気と冷却水の熱を回収して温水とする熱交換手段である
ことを特徴とする。
【００２０】
また、請求項９に係る本発明のライフラインタワーは、
請求項３乃至請求項６のいずれか一項に記載のライフラインタワーにおいて、
コージェネレーション用の発電機器は、燃料電池であり、
コージェネレーション用補機は燃料電池の作動排気と冷却水の熱を回収して温水とする熱交換手段である
ことを特徴とする。
【００２１】
また、請求項１０に係る本発明のライフラインタワーは、
床面及び天井面を備えない鉄骨構造物にコージェネレーション用のガスエンジン及び発電機が設置され、
ガスエンジン及び発電機の上部の鉄骨構造物にコージェネレーション用の熱交換器及びガスエンジンの補機が設置される一方、
鉄骨構造物にガスエンジンの駆動用の燃料となる液化石油ガス（ＬＰＧ）を収容するＬＰＧタンクが設置される共に、補機に送られてガスエンジンの冷却を行う冷却水が収容される地下貯水槽が設けられ、
都市ガス配管及びＬＰＧタンクからの配管がガスエンジンに接続され、
上水道配管からの配管が地下貯水槽に接続され、
病院施設への電力配線が発電機に接続され、
病院施設との間を循環する温水配管がコージェネレーション用の熱交換器に接続されて構成され、
通常時には都市ガス配管からの都市ガスがガスエンジンに供給されると共に上水道配管からの水が地下貯水槽を介してガスエンジンの補機に供給され、熱交換器からの温水が温水配管により病院施設と熱交換器との間で温水が循環されると共に発電機からの電力が電力配線により病院施設に送られる一方、
非常時には都市ガス配管の都市ガス及び上水道配管の水が遮断されてＬＰＧタンクからの燃料が配管からガスエンジンに供給されると共に地下貯水槽からの水がガスエンジンの補機に供給され、温水配管により病院施設と熱交換器との間で温水が循環されると共に発電機からの電力が電力配線により病院施設に送られる
ことを特徴とする。
【００２２】
【発明の実施の形態】
図１には本発明の一実施形態例に係るライフラインタワーが設置された病院の全体状況、図２にはライフラインタワーの全体の正面視状況、図３には図２中のＩＩＩ−ＩＩＩ線矢視、図４には図２中のＩＶ−ＩＶ線矢視、図５には図２中のＶ−Ｖ線矢視、図６には図２中のＶＩ−ＶＩ線矢視、図７には図２中のＶＩＩ−ＶＩＩ線矢視、図８にはコージェネレーション発電設備の概略系統、図９には通常運転の系統概念、図１０には通常運転のライフラインタワーの系統概念、図１１には災害時運転の系統概念、図１２には災害時運転のライフラインタワーの系統概念を示してある。
【００２３】
図１に示すように、病院の敷地内には既存の建物１や機械室２及び駐車場３が備えられ、駐車場３の駐車スペースや建物１に対して影響を与えない場所にはライフラインタワー４が設置されている。ライフラインタワー４は、工作物となる骨状構造物としての鉄骨構造物（詳細は後述）で構成され、工作物とされるために、梁で上下スペースが仕切られて床面及び天井面を有していない構造となっている。
【００２４】
そして、鉄骨構造物に、コージェネレーション用の発電機器（冷却機器を含む内燃機関、発電機等）やコージェネレーション用の補機（温水発生用の熱交換手段等）が収容されている。また、発電機器の駆動用の燃料を収容する燃料収容部材（燃料タンク等）が設置されると共に、発電機器の冷却水（雑水）を収容するタンク部材として地下貯水槽が設けられている。
【００２５】
骨状構造物としては、鉄骨構造物のほかに、鋼管構造物等が適用され、コージェネレーション用の発電機器としては、内燃機関としてのガスエンジン、液体燃料エンジン、ターボエンジンと発電機の組み合わせや、マイクロガスタービンと発電機の組み合わせ、燃料電池等が適用される。
【００２６】
ライフラインタワー４にライフラインの代替機能を有する機器を設置したので、２４時間、３６５日機能する病院に対して建屋内の工事等を最小限に抑えることが可能となる。そして、ライフラインタワー４を工作物となる鉄骨構造物で構成したので、建屋としての面積に含まれることがなく、敷地全体に対して病院としての設備のための面積に影響を及ぼすことがなくなる。
【００２７】
このため、既設の病院施設に対する影響を最小限に抑えてライフラインの代替手段を導入することが可能になる。
【００２８】
図２乃至図８に基づいてライフラインタワー４を説明する。
【００２９】
図２に示すように、ライフラインタワー４は鉄骨７が骨状構造物となるように構成されている。梁となる鉄骨７ａにより地上４層構造とされている。図２、図３に示すように、地下にはコンクリートピット８が設けられ、地下貯水槽９が形成されている。
【００３０】
図２、図４に示すように、地上の１層目にはコージェネレーション用のガスエンジン１１が設置され、ガスエンジン１１の駆動により発電を行う発電機１２がガスエンジン１１に連結されている。また、１層目にはガスエンジン１１の起動を行うバッテリ１３及び燃料を所定圧力に調整するガスコンプレッサ１４が設けられている。
【００３１】
図２、図５に示すように、梁となる鉄骨７ａで区切られた２層目には、ガスエンジン１１の吸入空気を導入するためのファン１５が備えられている。
【００３２】
図２、図６に示すように、梁となる鉄骨７ａで区切られた３層目には、ガスエンジン１１の冷却を行うラジエータ等の放熱熱交換器類（詳細は後述）や温水をつくるコージェネレーション用の熱交換器（詳細は後述）補機ユニット１６が備えられている。
【００３３】
そして、３層目には保守点検等で作業員が移動するためのキャットウォーク１８が設けられている。キャットウォーク１８は常設もしくは仮設のどちらでも可能である。
【００３４】
図２、図６に示すように、梁となる鉄骨７ａで区切られた４層目には、災害発生時にガスエンジン１１の駆動用の燃料となる液化石油ガス（ＬＰＧ）が収容されるＬＰＧタンク１７が設置されている。ガスエンジン１１は、通常時には都市ガス配管が接続されて天然ガスによって駆動され、災害発生時にＬＰＧタンク１７からのＬＰＧによって駆動される。
【００３５】
そして、４層目には保守点検等で作業員が移動するためのキャットウォーク１９が設けられている。キャットウォーク１９は常設もしくは仮設のどちらでも可能である。
【００３６】
ＬＰＧは天然ガスに比べて低圧で液体になるため、比較的簡易なタンクで構成することが可能である。
【００３７】
図２乃至図７中の符号で４０は、ガスエンジン１１と補機ユニット１６の機器との間で接続される配管群である。
【００３８】
図８に基づいてコージェネレーション発電設備を説明する。
【００３９】
図に示すように、ガスエンジン１１には発電機１２が連結され、発電機１２からの発電電力は発電機制御盤２１から電力配線２２を介して受側（病院側）の変電室の配電盤に送られる。
【００４０】
都市ガス配管２３及びＬＰＧタンク１７（図２、図７参照）からの配管２４が電磁弁２５及びガスレギュレータ２６を介してガスエンジン１１の主燃焼室に接続されている。また、都市ガス配管２３及びＬＰＧタンク１７（図２、図７参照）からの配管２４が電磁弁２５及びガスコンプレッサ１４を介してガスエンジン１１の副燃焼室に接続されている。
【００４１】
ガスエンジン１１には、潤滑油タンク２７からの潤滑油が自動給油装置２８を介して供給される。図中の符号で２９は吸気口、３０は排風口である。
【００４２】
補機ユニット１６には発電機器の捕機としてインタークーラ熱交換器４１、ラジエータ４２が設けられている。また、コージェネレーション補機としてコージェネレーション用の熱交換器４３及び排ガス熱交換器４４が設けられている。
【００４３】
インタークーラ熱交換器４１ではガスエンジン１１の吸気が冷却される。排ガス熱交換器４４には消音器４５を介してガスエンジン１１の排ガスが送られ、排ガス熱交換器４４ではガスエンジン１１のジャケット水が昇温される。昇温されたジャケット水は熱交換器４３で熱交換されて温水を発生させ、更にラジエータ４２で冷却されてガスエンジン１１に戻される。
【００４４】
インタークーラ熱交換器４１には地下貯水槽９（図２、図３参照）からインタークーラ冷却水が送られ、ラジエータ４２には地下貯水槽９（図２、図３参照）から冷却水が送られる。熱交換器４３には病院側との間を循環する温水配管４６が接続され、病院側と熱交換器４３との間で温水が循環されるように（病院側に温水が供給される）なっている。
【００４５】
通常の運転時には、地下貯水槽９（図２、図３参照）には後述する上水道から水が供給される。また、ガスエンジン１１には都市ガス配管２３から燃料として天然ガスが供給され、ＬＰＧタンク１７（図２、図７参照）からの配管２４は遮断された状態になっている。また、必要に応じて地下貯水槽９からの水が雑水として病院側に送られる。
【００４６】
災害発生時等の非常時には、地下貯水槽９（図２、図３参照）に貯留された水がインタークーラ熱交換器４１及びラジエータ４２に送られる。また、都市ガス配管２３が遮断され、ガスエンジン１１にはＬＰＧタンク１７（図２、図７参照）からの配管２４によりＬＰＧが燃料として供給される。また、必要に応じて地下貯水槽９に貯められた水が雑水として病院側に送られる。
【００４７】
天然ガスの都市ガス配管２３は中圧のガス配管であるため、地震等の災害が発生した場合であっても破損する虞はほとんどない。このため、災害時には都市ガス配管２３からのガス供給は点検等による短時間の停止で再開される。従って、ＬＰＧタンク１７からのＬＰＧの供給は、都市ガス配管２３からの供給が復旧するまでの短時間の間だけ確保されればよく、最小限の容量のタンクを使用することが可能になる。
【００４８】
図９乃至図１２に基づいて通常時の系統と災害発生時の系統を説明する。
【００４９】
図９、図１０に基づいて通常時の系統を説明する。
【００５０】
図９、図１０に示すように、病院５１には貯水槽５２が備えられ、上水道５３からの水が地下貯水槽９及び貯水槽５２に供給される。また、都市ガス配管２３がガスエンジン１１に接続され、ＬＰＧタンク１７からの配管２４がガスエンジン１１に接続されている。
【００５１】
地下貯水槽９からの水が冷却水としてインタークーラ熱交換器４１及びラジエータ４２の補機に供給され、ガスエンジン１１は都市ガス配管２３から供給される都市ガスにより駆動される。ＬＰＧタンク１７からの配管２４は遮断された状態になっている（図中点線で示してある）。
【００５２】
これにより、温水配管４６から病院５１に温水が供給され、ガスエンジン１１の駆動で得られた電力が電力配線２２から病院５１に供給される。更に、地下貯水槽９から病院５１に雑水が供給される。従って、外部からの電力を使用せずに病院５１でまかなう温水を得ることができる。
【００５３】
図１１、図１２に基づいて災害発生時（非常時）の系統を説明する。
【００５４】
図１１、図１２に示すように、上水道５３からの水が遮断されると共に（図中点線で示してある）都市ガス配管２３からの都市ガスの供給が遮断された状態になっている（図中点線で示してある）。ＬＰＧタンク１７からの配管２４がガスエンジン１１に接続されてＬＰＧがガスエンジン１１の燃料として供給される。
【００５５】
地下貯水槽９に貯留された水が冷却水としてインタークーラ熱交換器４１及びラジエータ４２の補機に供給され、ガスエンジン１１はＬＰＧタンク１７からの配管２４から供給されるＬＰＧにより駆動される。
【００５６】
これにより、温水配管４６から病院５１に温水が供給され、ガスエンジン１１の駆動で得られた電力が電力配線２２から病院５１に供給される。更に、地下貯水槽９から病院５１に雑水が供給される。従って、災害発生時に上水道５３からの水及び都市ガス配管２３からの都市ガスが遮断されても、電力及び温水を確保することができる。
【００５７】
尚、雑水の供給は必要に応じて行われるものであり、災害発生時には雑水の供給を行わないようにすることも可能である。
【００５８】
災害発生時の付加機能として、ライフラインが早期に復旧してＬＰＧタンク１７のＬＰＧが残った時には、焚き出し用としての機器を備えてＬＰＧを炊き出しの燃料として使用することも可能である。この場合、都市ガス用の機器をそのまま使用することができる。
【００５９】
また、簡易シャワー施設等を併設し温水シャワーを提供することも可能である。更に、簡易トイレの設備を併設し、多数の外来患者用の衛生設備として機能させることができ、病院内のトイレ使用者を限定することができる。
【００６０】
図１３、図１４に基づいてライフラインタワーの他の実施形態例を説明する。図１３、図１４には他の実施形態例に係るライフラインタワーの概略外観を示してある。尚、図２乃至図８に示した部材と同一部材には同一符号を付して重複する説明は省略してある。
【００６１】
図１３に示したライフラインタワー５５は、鉄骨７が骨状構造物となるように構成され、梁となる鉄骨７ａにより地上３層構造とされている。
【００６２】
そして、ＬＰＧタンク１７が地下に設けられ、１層目にガスエンジン１１、発電機１２等からなる発電設備（コージェネレーション）５６が備えられている。２層目には排ガス熱交換器４４、熱交換器４３に相当するコージェネレーション補機５７が備えられている。更に、３層目には放熱器５８及び冷却塔５９（インタークーラ熱交換器４１、ラジエータ４２に相当）が備えられている。
【００６３】
図１４に示したライフラインタワー６１は、鉄骨７が骨状構造物となるように構成され、梁となる鉄骨７ａにより地上４層構造とされている。
【００６４】
そして、地下貯水槽９は設けられておらず、ＬＰＧタンク１７のみが地下に設けられ、１層目にガスエンジン１１、発電機１２等からなる発電設備（コージェネレーション）５６及びが備えられている。更に、１層目には放熱器５８（ラジエータ４２に相当）が備えられている。
【００６５】
２層目には排ガス熱交換器４４、熱交換器４３に相当するコージェネレーション補機５７が備えられ、更に、２層目には冷却塔５９が備えられている。３層目には冷温水機６２が備えられ、４層目には冷温水機６２用の冷却塔６３が備えられている。
【００６６】
図１３、図１４に示したライフラインタワー５５、ライフラインタワー６１は、ＬＰＧタンク１７が地下に設けられているので、燃料タンクが外部に露出することがない。
【００６７】
上述したライフラインタワー４、５５、６１を病院の設備として備えることにより、ガスエンジン１１を利用したコージェネレーションシステムに災害時の数日分の燃料と水を備蓄した設備を備えることができる。このため、災害に強い（災害時も機能可能な）病院とすることができる。そして、ライフラインタワー４、５５、６１は鉄骨構造のタワー（工作物）に機器が配置されているので、機械室をなくすことができ、建屋としての面積に含まれることがなく、敷地全体に対して病院としての設備のための面積に影響を及ぼすことがなくなる。
【００６８】
また、鉄骨構造のタワーとしたので、省スペース化が図れると共に、単独設置が可能で、短期間の工期が可能となる。また、鉄骨構造のタワーとしたので、災害時の建屋の破損に無関係に機能させることができ、災害初期に病院の医療機器の使用が可能になる。
【００６９】
【発明の効果】
請求項１に係る本発明のライフラインタワーは、
工作物となる骨状構造物に発電機器を設置し、発電機器の上部の骨状構造物に発電機器の補機を設置したことを特徴とする。
【００７０】
このため、建屋としての面積に含まれることがなく、敷地全体に対しての既存設備のための面積に影響を及ぼすことがなくなり、既設の施設に対する影響を最小限に抑えてライフラインの代替手段を導入することができるライフラインタワーとなる。
【００７１】
上記目的を達成するための請求項２に係る本発明のライフラインタワーは、
工作物となる骨状構造物にコージェネレーション用の発電機器を設置し、発電機器の上部の骨状構造物に発電機器の補機及びコージェネレーション用補機を設置する一方、骨状構造物に発電機器の駆動用の燃料を収容する燃料収容部材を設置すると共に発電機器の冷却水を収容するタンク部材を設けたことを特徴とする。
【００７２】
このため、建屋としての面積に含まれることがなく、敷地全体に対しての既存設備のための面積に影響を及ぼすことがなくなり、既設の施設に対する影響を最小限に抑えてコージェネレーションシステムを利用したライフラインの代替手段を導入することができるライフラインタワーとなる。
【００７３】
そして、請求項３に係る本発明のライフラインタワーは、
請求項２に記載のライフラインタワーにおいて、
発電機器には都市ガス配管及び燃料収容部材からの配管が接続され、
発電機器の補機にはタンク部材からの水の配管が接続されると共に、
発電機器からは所定の施設への電力配線が接続され、
コージェネレーション補機には所定の施設との間で温水を循環させる温水配管が接続され、
通常時には都市ガス配管からの都市ガスが発電機器に供給されると共に上水道配管からの水がタンク部材を介して発電機器の補機に供給され、コージェネレーション補機からの温水が温水配管により所定の施設に送られると共に発電機器からの電力が電力配線により所定の施設に送られる一方、
非常時には都市ガス配管からの都市ガス及び上水道配管からの水が遮断されて燃料収容部材の燃料が配管から発電機器に供給されると共に、タンク部材に蓄えられた水が発電機器の補機に供給され、コージェネレーション補機からの温水が温水配管により所定の施設に送られると共に発電機器からの電力が電力配線により所定の施設に送られる
ことを特徴とする。
【００７４】
このため、建屋としての面積に含まれることがなく、敷地全体に対しての既存設備のための面積に影響を及ぼすことがなくなり、既設の施設に対する影響を最小限に抑えてコージェネレーションシステムを利用したライフラインの代替手段を導入することができるライフラインタワーとなる。
【００７５】
また、請求項４に係る本発明のライフラインタワーは、
請求項３に記載のライフラインタワーにおいて、
非常時に発電機器の補機に供給される水は地下貯水槽に蓄えられていることを特徴とする。
【００７６】
このため、発電機器の補機に供給される水を備えたライフラインタワーとすることができる。
【００７７】
また、請求項５に係る本発明のライフラインタワーは、
請求項３に記載のライフラインタワーにおいて、
コージェネレーション補機に循環される水は所定の施設に蓄えられていることを特徴とする。
【００７８】
このため、所定の施設に蓄えられた水を用いたコージェネレーションシステムとすることができる。
【００７９】
また、請求項６に係る本発明のライフラインタワーは、
請求項３に記載のライフラインタワーにおいて、
燃料収容部材は地下に設置されていることを特徴とする。
【００８０】
このため、燃料収容部材が外部に露出することがない。
【００８１】
また、請求項７に係る本発明のライフラインタワーは、
請求項３乃至請求項６のいずれか一項に記載のライフラインタワーにおいて、
コージェネレーション用の発電機器は、内燃機関及び内燃機関の駆動により発電を行う発電機であり、
コージェネレーション補機はガスエンジンの排気と冷却水の熱を回収して温水とする熱交換手段である
ことを特徴とする。
【００８２】
このため、内燃機関及び発電機を用いたコージェネレーションシステムとなる。
【００８３】
また、請求項８に係る本発明のライフラインタワーは、
請求項３乃至請求項６のいずれか一項に記載のライフラインタワーにおいて、
コージェネレーション用の発電機器は、マイクロガスタービン及びマイクロガスタービンの駆動により発電を行う発電機であり、
コージェネレーション補機はマイクロガスタービンの排気と冷却水の熱を回収して温水とする熱交換手段である
ことを特徴とする。
【００８４】
このため、マイクロガスタービンと発電機を用いたコージェネレーションシステムとなる。
【００８５】
また、請求項９に係る本発明のライフラインタワーは、
請求項３乃至請求項６のいずれか一項に記載のライフラインタワーにおいて、
コージェネレーション用の発電機器は、燃料電池であり、
コージェネレーション用補機は燃料電池の作動排気と冷却水の熱を回収して温水とする熱交換手段である
ことを特徴とする。
【００８６】
このため、燃料電池を用いたコージェネレーションシステムとなる。
【００８７】
また、請求項１０に係る本発明のライフラインタワーは、
床面及び天井面を備えない鉄骨構造物にコージェネレーション用のガスエンジン及び発電機が設置され、
ガスエンジン及び発電機の上部の鉄骨構造物にコージェネレーション用の熱交換器及びガスエンジンの補機が設置される一方、
鉄骨構造物にガスエンジンの駆動用の燃料となる液化石油ガス（ＬＰＧ）を収容するＬＰＧタンクが設置される共に、補機に送られてガスエンジンの冷却を行う冷却水が収容される地下貯水槽が設けられ、
都市ガス配管及びＬＰＧタンクからの配管がガスエンジンに接続され、
上水道配管からの配管が地下貯水槽に接続され、
病院施設への電力配線が発電機に接続され、
病院施設との間を循環する温水配管がコージェネレーション用の熱交換器に接続されて構成され、
通常時には都市ガス配管からの都市ガスがガスエンジンに供給されると共に上水道配管からの水が地下貯水槽を介してガスエンジンの補機に供給され、熱交換器からの温水が温水配管により病院施設と熱交換器との間で温水が循環されると共に発電機からの電力が電力配線により病院施設に送られる一方、非常時には都市ガス配管の都市ガス及び上水道配管の水が遮断されてＬＰＧタンクからの燃料が配管からガスエンジンに供給されると共に地下貯水槽からの水がガスエンジンの補機に供給され、温水配管により病院施設と熱交換器との間で温水が循環されると共に発電機からの電力が電力配線により病院施設に送られる
ことを特徴とする。
【００８８】
このため、建屋としての面積に含まれることがなく、敷地全体に対しての病院設備のための面積に影響を及ぼすことがなくなり、病院の施設に対する影響を最小限に抑えてコージェネレーションシステムを利用したライフラインの代替手段を導入することができるライフラインタワーとなる。
【図面の簡単な説明】
【図１】本発明の一実施形態例に係るライフラインタワーが設置された病院の全体図。
【図２】ライフラインタワーの全体の正面図。
【図３】図２中のＩＩＩ−ＩＩＩ線矢視図。
【図４】図２中のＩＶ−ＩＶ線矢視図。
【図５】図２中のＶ−Ｖ線矢視図。
【図６】図２中のＶＩ−ＶＩ線矢視図。
【図７】図２中のＶＩＩ−ＶＩＩ線矢視図。
【図８】コージェネレーション発電設備の概略系統図。
【図９】通常運転の系統概念図。
【図１０】通常運転のライフラインタワーの系統概念図。
【図１１】災害時運転の系統概念図。
【図１２】災害時運転のライフラインタワーの系統概念図。
【図１３】他の実施形態例に係るライフラインタワーの概略外観図。
【図１４】他の実施形態例に係るライフラインタワーの概略外観図。
【符号の説明】
１  建物
２  機械室
３  駐車場
４  ライフラインタワー
７  鉄骨
８  コンクリートピット
９  地下貯水槽
１１  ガスエンジン
１２  発電機
１３  バッテリ
１４  ガスコンプレッサ
１５  ファン
１６  補機ユニット
１７  ＬＰＧタンク
１８、１９  キャットウォーク
２１  発電機制御盤
２２  電力配線
２３  都市ガス配管
２４  配管
２５  電磁弁
２６  ガスレギュレータ
２７  潤滑油タンク
２８  自動給油装置
２９  吸気口
３０  排風口
４１  インタークーラ熱交換器
４２  ラジエータ
４３  熱交換器
４４  排ガス熱交換器
４５  消音器
４６  温水配管
５１  病院
５２  貯水槽
５３  上水道
５５  ライフラインタワー
５６  発電設備
５７  コージェネレーション補機
６１  ライフラインタワー
６２  冷温水機
６３  冷却塔
【図１】
2005029963.tif 000003
【図２】
2005029963.tif 000004
【図３】
2005029963.tif 000005
【図４】
2005029963.tif 000006
【図５】
2005029963.tif 000007
【図６】
2005029963.tif 000008
【図７】
2005029963.tif 000009
【図８】
2005029963.tif 000010
【図９】
2005029963.tif 000011
【図１０】
2005029963.tif 000012
【図１１】
2005029963.tif 000013
【図１２】
2005029963.tif 000014
【図１３】
2005029963.tif 000015
【図１４】
2005029963.tif 000016